(57)【要約】【課題】所望硬さの畦上面を形成できる畦塗り機を提供する。【解決手段】畦塗り機は、土を盛り上げる盛土体と、盛土を締め固めて畦側面を形成する畦側面形成体24と、盛土を締め固めて畦上面を形成する畦上面形成体25とを備える。畦上面形成体25は、この畦上面形成体25の回転方向ａに並んで位置する複数の畦上面形成面部44を外周側に有する。各畦上面形成面部44は、畦側面形成体24側に向うに従って回転方向ａとは逆方向に向う螺旋形状に形成する。また、各畦上面形成面部44は、土との接触時には畦上面形成体25の回転中心軸線Ｘ側へ移動する。【選択図】図３
2010154807.tif 000002
【特許請求の範囲】
【請求項１】
土を盛り上げる盛土体と、
この盛土体にて盛り上げられた土を締め固めて傾斜面状の畦側面を形成する回転可能な畦側面形成体と、
前記盛土体にて盛り上げられた土を締め固めて水平面状の畦上面を形成する回転可能な畦上面形成体とを備え、
前記畦上面形成体は、この畦上面形成体の回転方向に並んで位置する複数の畦上面形成面部を外周側に有し、
前記各畦上面形成面部は、前記畦側面形成体側に向うに従って前記回転方向とは逆方向に向うようにねじられた螺旋形状に形成され、土との接触時には前記畦上面形成体の回転中心軸線側へ移動する
ことを特徴とする畦塗り機。
【請求項２】
畦上面形成体は、畦上面形成面部と当接してこの畦上面形成面部の前記畦上面形成体の回転中心軸線側への移動を規制することにより隣り合う畦上面形成面部間の段差を維持するストッパ部を有する
ことを特徴とする請求項１記載の畦塗り機。
【請求項３】
畦上面形成面部は、弾性板にて構成され、
前記弾性板の回転方向前端部が畦上面形成体の被取付部に取り付けられ、前記弾性板の回転方向後端部が自由端部となっている
ことを特徴とする請求項１または２記載の畦塗り機。
【請求項４】
畦上面形成面部は、非弾性板にて構成され、
前記非弾性板の回転方向前端部が畦上面形成体の被取付部に連結弾性体を介して取り付けられ、前記非弾性板の回転方向後端部が自由端部となっている
ことを特徴とする請求項１または２記載の畦塗り機。
【発明の詳細な説明】
【技術分野】
【０００１】
本発明は、所望硬さの畦上面を形成できる畦塗り機に関するものである。
【背景技術】
【０００２】
従来、例えば下記の特許文献１に記載された畦塗り機が知られている。
【０００３】
この従来の畦塗り機は、土を盛り上げる盛土体と、盛土体にて盛り上げられた土を締め固めて傾斜面状の畦側面を形成する回転可能な畦側面形成体と、盛土体にて盛り上げられた土を締め固めて水平面状の畦上面を形成する回転可能な畦上面形成体とを備えている。そして、畦上面形成体はこの畦上面形成体の回転方向に並んで位置する複数の畦上面形成面部を外周側に有し、この各畦上面形成面部は略矩形平板状の弾性板にて構成されている。
【特許文献１】特開２０００−３７１０４号公報
【発明の開示】
【発明が解決しようとする課題】
【０００４】
しかしながら、上記従来の畦塗り機では、畦の土質等によっては畦上面形成体による土締め固め力が不足し、所望硬さの畦上面を形成できないおそれがある。
【０００５】
本発明は、このような点に鑑みなされたもので、所望硬さの畦上面を形成できる畦塗り機を提供することを目的とする。
【課題を解決するための手段】
【０００６】
請求項１記載の畦塗り機は、土を盛り上げる盛土体と、この盛土体にて盛り上げられた土を締め固めて傾斜面状の畦側面を形成する回転可能な畦側面形成体と、前記盛土体にて盛り上げられた土を締め固めて水平面状の畦上面を形成する回転可能な畦上面形成体とを備え、前記畦上面形成体は、この畦上面形成体の回転方向に並んで位置する複数の畦上面形成面部を外周側に有し、前記各畦上面形成面部は、前記畦側面形成体側に向うに従って前記回転方向とは逆方向に向うようにねじられた螺旋形状に形成され、土との接触時には前記畦上面形成体の回転中心軸線側へ移動するものである。
【０００７】
請求項２記載の畦塗り機は、請求項１記載の畦塗り機において、畦上面形成体は、畦上面形成面部と当接してこの畦上面形成面部の前記畦上面形成体の回転中心軸線側への移動を規制することにより隣り合う畦上面形成面部間の段差を維持するストッパ部を有するものである。
【０００８】
請求項３記載の畦塗り機は、請求項１または２記載の畦塗り機において、畦上面形成面部は、弾性板にて構成され、前記弾性板の回転方向前端部が畦上面形成体の被取付部に取り付けられ、前記弾性板の回転方向後端部が自由端部となっているものである。
【０００９】
請求項４記載の畦塗り機は、請求項１または２記載の畦塗り機において、畦上面形成面部は、非弾性板にて構成され、前記非弾性板の回転方向前端部が畦上面形成体の被取付部に連結弾性体を介して取り付けられ、前記非弾性板の回転方向後端部が自由端部となっているものである。
【発明の効果】
【００１０】
請求項１に係る発明によれば、畦上面形成体の各畦上面形成面部は畦側面形成体側に向うに従って回転方向とは逆方向に向うようにねじられた螺旋形状に形成され、土との接触時には前記畦上面形成体の回転中心軸線側へ移動するため、畦上面形成体による十分な土締め固め力が得られ、所望硬さの畦上面を形成できる。
【００１１】
請求項２に係る発明によれば、畦上面形成体は畦上面形成面部と当接してこの畦上面形成面部の畦上面形成体の回転中心軸線側への移動を規制することにより隣り合う畦上面形成面部間の段差を維持するストッパ部を有するため、所望硬さの畦上面を効果的に形成できる。
【００１２】
請求項３に係る発明によれば、弾性板にて構成された畦上面形成面部によって所望硬さの畦上面を適切に形成できる。
【００１３】
請求項４に係る発明によれば、非弾性板にて構成された畦上面形成面部によって所望硬さの畦上面を適切に形成できる。
【発明を実施するための最良の形態】
【００１４】
本発明の畦塗り機の一実施の形態を図面を参照して説明する。
【００１５】
図１および図２において、１は畦塗り機で、この畦塗り機１は走行車であるトラクタ（図示せず）の後部に連結されて使用される牽引式のものである。
【００１６】
なお、図１ではトラクタの前進走行により畦塗り機１が前方に移動しながら畦塗り作業（畦形成作業）をする前進作業状態が示され、図２では圃場の隅部等においてトラクタのバック走行により畦塗り機１が後方に移動しながら畦塗り作業（畦形成作業）をするバック作業状態が示されている。
【００１７】
畦塗り機１は、図示しないトラクタの後部の３点リンク（作業機昇降支持装置）に連結された機体２と、機体２に回転可能に設けられ田面および畦（元畦）の土を耕耘しこの耕耘土を元畦の畦側面および畦上面に盛り上げるロータリ式の盛土部である盛土体３と、機体２に回転可能に設けられ盛土体３の進行方向後方で左右方向の回転中心軸線Ｘを中心として回転しながら盛土体３にて盛り上げられた土を締め固めて新たな畦（新畦）Ａを形成する畦形成部４と、盛土体３の進行方向前方で元畦の畦上面を削る回転可能な上面削り部５とを備えている。
【００１８】
機体２は、トラクタの後部の３点リンクに連結された固定機枠７を有している。固定機枠７には回動アーム８の一端部が回動可能に取り付けられ、この回動アーム８の他端部には可動機枠９が回動可能に取り付けられている。そして、可動機枠９に、盛土体３、畦形成部４および上面削り部５がそれぞれ回転可能に設けられている。
【００１９】
固定機枠７は、軸保持部10を有し、この軸保持部10には略前後方向の入力軸11が回転可能に設けられ、この入力軸11はトラクタのＰＴＯ軸にジョイントおよび伝動シャフト等の動力伝達手段（図示せず）を介して接続されている。一方、可動機枠９は伝動ケースを兼ねたものであり、この可動機枠９は軸保持部12を有し、この軸保持部12には中間入力軸13が回転可能に設けられ、この中間入力軸13は入力軸11にジョイントおよび伝動シャフト等の動力伝達手段14を介して接続されている。
【００２０】
盛土体３は、可動機枠９にて回転可能に軸支された駆動軸である回転軸21と、回転軸21に突設されこの回転軸21と一体となって回転しながら田面および畦の土を耕耘して畦側面および畦上面に盛り上げる複数の耕耘爪である盛土爪22とを有している。これら複数の盛土爪22の上方部は図示しないカバー体にて覆われている。盛土体３の回転軸21は、中間入力軸13側からの動力で所定方向に駆動回転する。
【００２１】
畦形成部４は、可動機枠９にて回転可能に軸支された駆動軸である回転軸23と、回転軸23と一体となって回転中心軸線Ｘを中心として所定方向である回転方向ａに回転しながら盛土体３による盛土を締め固めて水平面に対して田面側に向って下り傾斜面状の畦側面Ｂを形成する略円錐台状の回転可能な畦側面形成体（側面ディスク）24と、畦側面形成体24の縮径側端部に設けられ回転軸23と一体となってこの畦側面形成体24とともに回転中心軸線Ｘを中心として所定方向である回転方向ａに回転しながら盛土体３による盛土を締め固めて水平面状の畦上面Ｃを形成する略円柱状（中空でも中実でもよい）の回転可能な畦上面形成体（上面ローラ）25とを有している。畦形成部４の回転軸23は、中間入力軸13側からの動力で所定方向である回転方向ａに駆動回転する。
【００２２】
畦側面形成体24は、図３および図４に示すように、回転軸23とともに駆動回転する略円錐台状のベース部31と、このベース部31の外周面側に回転中心軸線Ｘを中心として放射状に設けられ畦側面形成体24の回転方向ａに並んで位置する略扇形状でかつやや湾曲面状の複数の畦側面形成面部（分割ディスク）32とを有している。
【００２３】
畦上面形成体25は、外周面が円筒面状をなす略円筒状のベース部33を有し、このベース部33の畦側面形成体24側の端部である内端部が略円錐台状の繋ぎ部34を介して畦側面形成体24のベース部31の縮径側端部に連結固定されている。
【００２４】
また、図５に示されるように、ベース部33の内端部外周面には複数（例えば８つ）の内板部35が径方向外方に向って突出状に設けられ、これら複数の内板部35はベース部33の周方向に並んで位置し、隣り合う内板部35間には取付部（図示せず）が設けられている。各内板部35の突出方向先端面には略円弧面状のストッパ面35aが形成されている。これら各ストッパ面35aは、畦上面形成体25の回転中心である左右方向の回転中心軸線Ｘを中心とする仮想円上に位置している（図８参照）。
【００２５】
さらに、ベース部33の外端部外周面には内板部35と対応して複数（例えば８つ）の外板部37が径方向外方に向って突出状に設けられ、これら複数の外板部37はベース部33の周方向に並んで位置し、隣り合う外板部37間には取付部（図示せず）が設けられている。各外板部37の突出方向先端面には略円弧面状のストッパ面37aが形成されている。こられ各ストッパ面37aは、内板部35のストッパ面35aと同様、畦上面形成体25の回転中心である左右方向の回転中心軸線Ｘを中心とする仮想円上に位置している（図８参照）。なお、外板部37は、対応する内板部35に対して回転方向ａ側にずれて位置している。
【００２６】
そして、図５に示されるように、ベース部33の外周面には複数（例えば８つ）の被取付部である被取付板部41が溶接等により固設されている。各被取付板部41は、細長略矩形状で、かつ畦側面形成体24側に向うに従って回転方向ａとは逆方向に向うようにねじられた螺旋形状に形成され、長手方向両端部が取付部に取り付けられている。また、各被取付板部41には、複数（例えば３つ）のねじ孔42が形成されている。
【００２７】
また、畦上面形成体25は、図３および図４に示されるように、畦上面形成体25の回転方向ａに並んで位置する複数（例えば８つ）の畦上面形成面部44を外周面側に有している。
【００２８】
各畦上面形成面部44は、細長略矩形状で、かつ畦側面形成体24側に向うに従って畦上面形成体25の回転方向ａとは逆方向に向うようにねじられた螺旋形状に形成されている。また各畦上面形成面部44は、幅方向中央側が回転中心軸線Ｘ側とは反対側に向って凸となるように湾曲面状に形成されている。なお図示しないが、各畦上面形成面部44は、湾曲面状でなく、平面状のものでもよい。
【００２９】
そして、各畦上面形成面部44は、回転中心軸線Ｘ側からの距離が長い第１状態と回転中心軸線Ｘ側からの距離が短い第２状態とに状態変化可能となっており、畦塗り作業の際における土との接触時には畦上面形成体25の回転中心軸線Ｘ側へ移動して第１状態から第２状態に変化する。
【００３０】
ここで、各畦上面形成面部44は、例えば弾性変形可能なプレートである弾性板45にて構成されている。弾性板45は、図６および図７に示す所定形状の樹脂板或いは金属板で、長手方向に沿った一端部に複数（例えば３つ）の貫通孔46が形成されている。
【００３１】
そして、図８に示されるように、例えばねじ孔42および貫通孔46に挿入されたボルト等からなる取付手段47によって弾性板45の回転方向前端部が被取付板部41に脱着可能に取り付けられ、弾性板45の回転方向後端部が自由端部45aとなっている。また、弾性板45は、土との接触により弾性変形する前の状態では、自由端部45a側ほど回転中心軸線Ｘからの距離が長くなるように傾斜状に位置している。つまり、各弾性板45は、弾性変形前では、回転中心軸線Ｘを中心として放射状となっている。
【００３２】
さらに、畦上面形成体25は、畦上面形成面部44である弾性板45と面状に当接してこの弾性板45の回転中心軸線Ｘ側への弾性板45自体の撓み弾性変形に基づく移動を規制することにより、互いに回転方向ａに隣り合う弾性板45間の段差50つまり弾性変形した一の弾性板45の自由端部45aとこの一の弾性板45と回転方向ａとは逆方向に隣り合う他の弾性板45の回転方向前端部（取付端部）との間の所定寸法の段差50を維持するストッパ部51を有している。このストッパ部51は各弾性板45に対応して設けられ、各ストッパ部51は対をなすストッパ面35a，37aにて構成されている。
【００３３】
次に、上記畦塗り機１の作用等を説明する。
【００３４】
トラクタの後部の３点リンクに畦塗り機１を連結してトラクタを走行させると、畦塗り機１はトラクタとともに進行方向前方に向って移動し、盛土体３、畦形成部４および上面削り部５がそれぞれ駆動回転する。
【００３５】
そして、盛土体３にて土が元畦の畦側面および畦上面に盛り上げられ、回転中心軸線Ｘを中心として回転方向ａに駆動回転する畦側面形成体24の畦側面形成面部32にて土が締め固められて傾斜面状の畦側面Ｂが形成され、かつ回転中心軸線Ｘを中心として回転方向ａに駆動回転する畦上面形成体25の畦上面形成面部44にて土が締め固められて畦上面Ｃが形成される。
【００３６】
このとき、畦上面形成面部44を構成する弾性板45は、元畦の畦上面に盛り上げられた土に接触する位置で畦形成部４等の重量によって回転中心軸線Ｘ側に向って中間で折り曲がるように撓み弾性変形し、ストッパ部51のストッパ面35a，37aに当接し、回転中心軸線Ｘを中心とする仮想円に略沿った状態となる。そして、この弾性変形した一の弾性板45の自由端部45aとこの一の弾性板45と回転方向ａとは逆方向に隣り合う他の弾性板45の回転方向前端部との間には所定寸法の段差50が維持され、互いに隣り合う弾性板45同士は接触せず、非接触のままである。
【００３７】
このため、所定寸法の段差50によって土叩き効果が発揮され、弾性板45にて土が十分に締め固められる。また、弾性変形前の状態では弾性板45は回転中心軸線Ｘを中心とする仮想円の接線方向に略沿った状態であるため、弾性板45にて所望量の土が掻き込まれる。さらに、弾性板45が所定の螺旋形状であるため、弾性板45にて土が畦側面形成体24の縮径側端部に向って移動して畦側面形成体24の縮径側端部付近に所望量の土が供給される。
【００３８】
したがって、このような畦塗り機１によれば、水分が少ない土質等、固まり難い条件下であっても、畦上面形成体25による十分な土締め固め力が得られ、所望硬さの畦上面（肩部を含む）Ｃを形成でき、よって崩れにくい強固な畦Ａを形成できる。
【００３９】
なお、上記一実施の形態では、畦上面形成面部44が螺旋形状面体である弾性板45にて構成されたものについて説明したが、例えば図９に示す他の実施の形態のように、畦上面形成面部44が弾性変形不可能な螺旋形状面体である非弾性板（剛性板）55にて構成されたものでも、同様の作用効果を奏することができる。
【００４０】
この図９に示すものでは、非弾性板55の回転方向前端部が被取付板部41に弾性変形可能な連結弾性体56を介して取り付けられ、非弾性板55の回転方向後端部が自由端部55aとなっている。連結弾性板56は、第１板部57および第２板部58を有する略Ｌ字状のもので、第１板部57が被取付板部41にボルト等からなる取付手段47にて取り付けられ、第２板部58が非弾性板55の回転方向前端部にボルトおよびナット等からなる取付手段59にて取り付けられている。
【００４１】
そして、この図９に示すものでは、ストッパ部51が、畦上面形成面部44である非弾性板55と面状に当接してこの非弾性板55の回転中心軸線Ｘ側への連結弾性板56の撓み弾性変形に基づく移動を規制することにより、互いに回転方向ａに隣り合う弾性板45間の段差50を維持する。
【００４２】
また、いずれの実施の形態においても、ベース部33の外周面に被取付板部41を溶接等により取り付けた構成には限定されず、例えばベース部33の外周側に被取付板部41を一体に形成した構成等でもよい。
【００４３】
さらに、畦上面形成面部44の数は８つには限定されず、６つや１０以上でもよく、任意である。
【図面の簡単な説明】
【００４４】
【図１】本発明の一実施の形態に係る畦塗り機の平面図である。
【図２】同上畦塗り機のバック作業時の平面図である。
【図３】同上畦塗り機の畦形成部の斜視図である。
【図４】同上畦形成部の正面図である。
【図５】同上畦形成部の畦上面形成体を示す弾性板を取り外した状態の斜視図である。
【図６】同上弾性板の正面図である。
【図７】同上弾性板の側面図である。
【図８】同上弾性板の弾性変形状態を示す模式断面図である。
【図９】本発明の他の実施の形態の連結弾性体の弾性変形状態を示す模式断面図である。
【符号の説明】
【００４５】
１    畦塗り機
３    盛土体
24    畦側面形成体
25    畦上面形成体
41    被取付部である被取付板部
44    畦上面形成面部
45    弾性板
45a   自由端部
50    段差
51    ストッパ部
55    非弾性板
55a   自由端部
56    連結弾性体
ａ    回転方向
Ｂ    畦側面
Ｃ    畦上面
Ｘ    回転中心軸線
【図１】
2010154807.tif 000003
【図２】
2010154807.tif 000004
【図３】
2010154807.tif 000005
【図４】
2010154807.tif 000006
【図５】
2010154807.tif 000007
【図６】
2010154807.tif 000008
【図７】
2010154807.tif 000009
【図８】
2010154807.tif 000010
【図９】
2010154807.tif 000011